(57)【要約】  ひな鳥がより餌を食べ良好な飼育が得られる餌付けシートとひな鳥の餌付け方法を提供することを目的とする。本発明にかかる餌付けシート１は、ひな鳥５の飼育において鶏舎の床３に敷く餌付けシート１の色を、餌２の色と異なる色にし、本発明にかかるひな鳥の餌付け方法は、飼育エリアの床３上に敷く餌付けシート１の色を、飼育に用いる餌の色に比べて異なる色に構成した。
2012132392.tif 000002
【特許請求の範囲】
【請求項１】
ひな鳥の飼育において鶏舎の床に敷く餌付けシートであって、かかる餌付けシートの色が、餌の色と異なる色で構成されていることを特徴とする餌付けシート。
【請求項２】
前記餌付けシートが、黒色又はダークグレーであることを特徴とする請求項１記載の餌付けシート。
【請求項３】
前記餌付けシートの明度と餌の明度の差が、マンセルカラーシステムにおいて、２以上あることを特徴とする請求項１又は２記載の餌付けシート。
【請求項４】
飼育エリアの床上に敷いた餌付けシート上に餌をばら撒いてひな鳥を餌付けする餌付け方法において、
前記餌付けシートの色を、飼育に用いる餌の色に比べて異なる色にして餌付けすることを特徴とする餌付け方法。
【請求項５】
前記餌付けシートの明度を前記餌の明度に比べ、マンセルカラーシステムにおいて「２」以上低くしたことを特徴とする請求項４記載の餌付け方法。
【発明の詳細な説明】
【技術分野】
【０００１】
本発明は、鶏等の家禽の飼育において「ひな鳥（本明細書及び特許請求の範囲において「ひよこ」ともいう）」の餌付けに使用される餌付けシート、及び、ひな鳥の餌付け（飼育）方法に関する。
【背景技術】
【０００２】
養鶏、例えばブロイラー等のための養鶏においては、ひな鳥の段階、具体的には、入雛（「育雛箱から取り出され飼育場に入れる」ことをいう）後〜７日間位までの間に多くの餌を食べてその間にいかに成長したかで、その後の成長状態が大きく左右される。つまり、この入雛後〜７日間位の間に多くの餌を食べたひな鳥は、その後順調に成長することが知られている。【０００３】
従って、養鶏家にとって、前記入雛後〜７日間位までの間にひな鳥が多くの餌を食べるように工夫することが極めて重要となる。【０００４】
ブロイラー用の鶏舎では、従来、床におが粉（木くず）等の素材を敷いて、その上でひな鳥の養鶏がおこなわれていた。その際、入雛後まもないひな鳥の場合、給餌箱等を設置しても、給餌箱まで行って食べることがなく、専ら床に落ちている近くの餌を食べる習性がある。【０００５】
ところが、餌をおが粉等を敷いた上に「ばらまく」と、ひな鳥の場合には、おが粉等の中に混じった餌を見つけることが難しく、このため、順調な成長に必要な量の餌を食べることが難しい。【０００６】
また、前記床におが粉等の素材を敷くと、定期的に床のおが粉を追加等する必要がある。【０００７】
このような状況に鑑みて、ひな鳥等を飼育する場合、おが粉に代えて床面に紙製のシートを敷いて、そのシート上に餌をばら撒いて飼育するひな鳥の飼育法が提案されている（特許文献１参照）。
この場合には、餌が常にシート上にあり、おが粉内に埋没してしまうようなことがないことから、ひな鳥は餌を見つけやすい。【０００８】
また、前記シートを新しいものと交換してやる場合があるが、その際、単にシートを取り除いて新たなシートを敷くだけであるので、前述した従来の餌付け方法を用いる場合と比較して、手間が非常に少なく、また使用済みのシートの処理も比較的簡単であり、しかも、未だ病気に対して抵抗力が低いひな鳥にとって衛生面でも好ましいとされている。
【先行技術文献】
【特許文献】
【０００９】
【特許文献１】特開２００５−８０５９３号公報。
【発明の概要】
【発明が解決しようとする課題】
【００１０】
ところが、前記床に紙製のシートを敷いて、そのシート上に餌が散らばった状態であっても、必ずしも、ひな鳥が餌を十分に食べないことが判った。【００１１】
本発明は、このような状況に鑑みておこなわれたもので、ひな鳥がより餌を食べるようになる餌付けシートとひな鳥の餌付け（飼育）方法とを提供することを目的とする。
【課題を解決するための手段】
【００１２】
本発明にかかる餌付けシートは、ひな鳥の飼育において鶏舎の床に敷く餌付けシートであって、かかる餌付けシートの色が、餌の色と異なる色で構成されていることを特徴とする。【００１３】
また、本発明にかかるひな鳥の餌付け方法は、飼育エリアの床上に敷いた餌付けシート上に餌をばら撒いてひな鳥を餌付けする餌付け方法において、
前記餌付けシートの色を、飼育に用いる餌の色に比べて異なる色にして餌付けすることを特徴とする。【００１４】
本発明者は、従来の紙製のシートを敷いた上で飼育しても、該紙製のシート上にばらまかれた餌を、十分食べないことに疑問を持ち、紙製のシートの色を種々代えて、シートの色と餌の摂取量との関係を所定期間にわたって観察したところ、餌付けシートの色が餌の色と異なる色、特に、マンセルカラーシステムにおいて明度が「２」以上異なる色であれば、入雛後まもないひな鳥が餌をよく食べることが判明した。発明者が推測するところによれば、入雛後まもないひな鳥の場合には成長した鳥（鶏）に比べて、視力等がまだ十分発達していないものと思われ、餌と餌付けシートの色が同じ又はあまり変化がない場合には、餌を視認しづらいのではないかと思われる。特に餌の色と餌付けシートの色の明度に差が前記した程度ある場合に、餌をよく食べることが且つ従来に比べてより活発な動きをすることが確認された。また、餌の色と餌付けシートの色の明度に差が前記した程度あると、飼育者（作業者）が餌をシート上に撒く場合にも、撒いた餌の位置が飼育者にとっても視認し易く、従って、シートの全面に可及的に均等に撒くことができ、つまり、餌の撒きむらができない。このため、シートの各部位にいるひな鳥にとって、いずれの部位にいるひな鳥それぞれの近傍にほぼ同じ量の餌が存在することになり、動く範囲が狭い各ひな鳥にとって餌の摂取量を高め、且つ、餌不足によるひな鳥の死亡を低減させることができる。【００１５】
前記餌付けシートにおいて、前記餌付けシートの明度を、前記餌の明度に比べてマンセルカラーシステムにおいて「２」以上低くすると好ましく、特に、餌付けシートが、餌に比べてマンセルカラーシステムにおいて「２」以上低い、黒色又はダークグレー（具体的には、マンセルカラーシステムの明度１〜４に属する黒色又はグレー）であるときに、餌の摂取量が多く顕著な飼育結果が得られることが判明した。推測するところ、餌とシートとの色の差があることによって、前記「餌が視認し易い」という理由に加えて、ひな鳥の場合、陰を好むことから、このことと同じ理由によって、黒色又はダークグレーの背景色の場合に精神的な面から、ひな鳥に安心感を与えるのではないかと推測される。
また、シートが黒色又はダークグレーの場合には、ひな鳥がシート上で目立ちやすいため、飼育者がひな鳥の動きを把握し易く、従って、弱っているひな鳥を発見し保護又は隔離し易くなる。このため、ひな鳥の死亡率を低減させることができ、また、疫病の感染を未然に防止することができる点でも好ましい。【００１６】
また、前記餌付け方法において、前記餌付けシートの色が、黒色又はダークグレーであるときに、餌を食べる量が多いということが判明した。推測するところ、前記理由に加えて、ひな鳥の場合、陰を好むことから、同じ理由によって黒色又はダークグレーの背景色の場合に精神的な面から安心感を与えるのではないかと推測される。【００１７】
そして、前記餌付けシートとしては、所定期間、つまりシートの使用時期が経過すると、ひな鳥がシート上を踏むことにより、あるいは糞尿等を吸収することにより、又はその両方によって、餌付けシートが、細かく破壊された状態となってしまうような素材のものが好ましい。
そのような餌付けシートとして、再生紙を用いることがリサイクルによる環境の点からも好ましい構成となる。
【発明の効果】
【００１８】
前述のように構成された本発明にかかる餌付けシートとひな鳥の餌付け方法によれば、単に紙製のシートの周知の色のなかで特定の範囲の色を選択して餌付けシートとして用いるだけで、換言すると、特定の範囲の色の紙製のシートを「ひな鳥の餌付け分野」という「用途」に用いるだけで、従来にない顕著な効果、つまり、ひな鳥の餌の摂取量が顕著に増加して、効率的な且つ安定した生育を得ることができる。
【図面の簡単な説明】
【００１９】
【図１】本発明にかかる餌付けシート上で飼育している状態を模式的に示した斜視図である。
【図２】図１に示す餌付けシートとその上に撒かれた餌及び該餌付けシートの下方の床面の状態を模式的に一部断面して示した図である。
【図３】図１とは色の異なる従来の色の餌付けシート上に餌を撒いて飼育している状態を示す斜視図である。
【図４】図１に示す本発明の実施例にかかる餌付けシートと図３に示す従来の紙製のシートとを用いた場合のひな鳥の餌の摂取量の違いをデータとして表した表図である。
【図５】図１に示す本発明の実施例にかかる餌付けシートと図３に示す従来の紙製のシートとを用いた場合のひな鳥の成長度合いを体重をパラメータとしてその違いを表した図４とは別の実施例にかかる表図である。
【図６】図１に示す本発明の実施例にかかる餌付けシートと図３に示す従来の紙製のシートとを用いた場合のひな鳥の成長度合いを体重をパラメータとしてその違いを表した図４，図５とは別の実施例にかかる表図で、（ａ）は縦軸にパーセントをとり、横軸に日数をとって表した図、（ｂ）は図５と同じ入雛時と一週間後のひな鳥の体重の変化を表した図である。
【発明を実施するための形態】
【００２０】
以下、本発明の実施例にかかる餌付けシートとひな鳥の餌付け方法について、図面と飼育結果（ひな鳥の体重の増加）のデータ等を参照しながら説明する。
（実施例）
図１は本実施例にかかる餌付けシート１を用いて、その上に餌２をばら撒いて、入雛したひな鳥を飼育している状態を示している。
前記餌付けシート１は、再生紙であって、マンセルカラーシステムの明度３程度の黒色（又はダークグレー色）を有している。なお、図１は模式図であって、実際には鶏舎内において図示されているよりも広いスペースを使用して飼育する。
また、この餌付けシート１は、紙の繊維組織が比較的粗くなって組織内部に極く小さな空間を有して糞尿等を吸収し易く構成されるとともに、この餌付けシート１を上方からひな鳥が踏むことによって所定期間、例えば、４日〜１週間程度経てば、餌付けシート１がばらばらになるような紙質を有している。つまり、紙の繊維組織が「粗」であって繊維組織同士をつなぐ結着剤（糊）の混入割合が少ない紙質のものが用いられている。
【００２１】
一方、前記餌２は、この実施例では、質的には一般にひな鳥の飼育に用いるものであって、色的（色のうち特に明度的）には、マンセルカラーシステムの明度６程度の色を有するものが使用されている。
【００２２】
前述のとおり、前記餌付けシート１は、前記餌２と異なる色が使用されている。つまり、この実施例の場合、前記餌付けシート１は前記餌２に対して、色のうち、色の構成要素の１つである「明度」の異なるものが、具体的には、マンセルカラーシステムにおいて、明度が略「３」異なるものが使用されている。しかし、前記明度の差は、マンセルカラーシステムにおいて、「２」以上異なるものであればよい。
【００２３】
ところで、前記明度３程度の餌付けシート１にするために、本実施例では、着色剤として炭が使用され、また、前記結着剤として食用糊が使用されている。しかし、本発明では、着色剤が炭に限定されるものでなく、その明度のものであれば、他の着色剤によって着色されていればよい。また、結着剤についても、同様に、前記食用糊に限定されるものではない。さらには、結着剤無しのものであってもよい。
【００２４】
そして、前述のような餌付けシート１は、図２に図示するように、床３上にほぼ均一の厚さに敷かれたおが粉６（あるいは切断した藁又は籾殻等であってもよい。図２参照）の上に敷かれる。そして、前記餌付けシート１上に、前記餌２をばら撒いて、ひな鳥５を飼育する。
このように前記餌付けシート１を用いてひな鳥を飼育すると、図３に示す、従来の市販されている紙製のシート１０を用いてひな鳥５を飼育した場合に比べて、餌の摂取量（重量）が顕著に増加し、その後の飼育において好ましい成長を得ることができる。
また、１週間程度使用すると、前述した紙質を有する前記餌付けシート１は、糞尿等が該餌付けシート１上になされて且つ吸収された状態で、その上をひな鳥等が歩くことによって、ばらばらに破壊されてゆく。
そして、破壊された餌付けシート１は、前記おが粉６等の中に混入された状態となる。
【００２５】
ところで、前記した本実施例にかかる餌付けシート１による前記効果を確認するため、前記特許文献１に記載され従来から用いられている紙製のシート１０（図３参照）を用いた場合と、本実施例にかかる餌付けシート１を用いた場合に、その上で入雛後飼育されたひな鳥５の餌の摂取量を計測してみると、以下のとおりであった。なお、効果を確認するため使用した従来の前記紙製のシート１０としては、従来から市販されていたもので、この実施例の場合、色的には、マンセルカラーシステムの明度５〜６程度の色（図４の表では「明度６」と記す）を有するものを使用した。
【００２６】
その結果、図４に表として図示するように、餌付け「１日目」では、本実施例にかかる餌付けシート１を敷いて餌付けした場合には、１グループ（２０匹：図１では７匹のみ表示）のひな鳥５の平均の餌の摂取量が約９３ｇであったのに比べて、従来の紙製のシート１０を用いた場合には、１グループ（２０匹：図３では７匹のみ表示）のひな鳥５の平均の餌の摂取量は約３４ｇであった。
同様に、餌付け「２日目」では、本実施例にかかる餌付けシート１を敷いて餌付けした場合には、同ひな鳥５の餌の摂取量が約１３７ｇであったのに比べて、従来の紙製のシート１０を用いた場合には、同ひな鳥５の餌の摂取量は約９２ｇであった。
同様に、餌付け「３日目」では、本実施例にかかる餌付けシート１を敷いて餌付けした場合には、同ひな鳥５の餌の摂取量が約２４４ｇであったのに比べて、従来の紙製のシート１０を用いた場合には、同ひな鳥５の餌の摂取量は約１３４ｇであった。
なお、この図４の表における「比率」は、従来市販されていた紙製のシート１０を用いた場合のひな鳥の摂取量を１００とした場合に、本願発明の実施例にかかるシート１を用いた場合の摂取量の比率を表したものである。つまり、本実施例にかかる餌付けシート１を用いた場合には、従来の紙製のシート１０を用いた場合に比べて、略１．５倍〜３倍弱の摂取量であったことが判る。
これらの効果について、図４の表を参照されたい。
【００２７】
また、前記餌付けシート１と前記特許文献１に記載の従来のシート１０を用いて、前記「実施データ１」を得るのに用いた地方（東北地方）とは別の地方の養鶏場、具体的には九州地方にある養鶏場において飼育実験をおこなった。かかる九州地方の同じ養鶏場の、日照時間や温度条件等がほぼ同じである二つの鶏舎において、ほぼ同じ程度の親鳥群からふ化した各ひな鳥を用いて、同じ飼育条件で、入雛（０Ｗ）から１週間（１Ｗ）にわたっておこなった。なお、入雛後３日間のみそれぞれ餌付けシート１と従来のシート１０を用いて、その後はおが屑の床で飼育した。
図５の「実施データ２」に示すように、入雛時に本餌付けシート１を用いて飼育する方のひな鳥の体重の平均値が４０．５ｇであるのに対し、シート１０を用いて飼育する方のひな鳥の体重の平均値が４０．４ｇであった。
その後、前記したとおり１週間（７日間）にわたって飼育すると、本餌付けシート１を用いた方のひな鳥の体重の平均値が２１０．０ｇであるのに対して、前記シート１０を用いた方のひな鳥の体重の平均値は１８２．０ｇであった。このデータからも、シートの他はほぼ同じ条件で飼育しても、前述のように、本餌付けシート１を用いて飼育した方が、１５．４パーセント程度成長の割合が高いことが判った。
【００２８】
また、前記餌付けシート１と前記特許文献１に記載の従来のシート１０を用いて、前記「実施データ１」および「実施データ２」を得るのに用いたとは別の地方の養鶏場、具体的には中国地方にある養鶏場において飼育実験をおこなった。かかる養鶏場の、相互に隣接して配置され日照時間や温度条件等がほぼ同じである二つの鶏舎において、ほぼ同じ程度の親鳥群からふ化した各ひな鳥を用いて、同じ飼育条件で、入雛（０Ｗ）から１週間（１Ｗ）にわたっておこなった。なお、入雛後５日間のみそれぞれ餌付けシート１と従来のシート１０を用いて、その後はおが屑の床で飼育した。
この結果、図６（ａ）の「実施データ３」に示すように、入雛時に本餌付けシート１を用いて飼育する方のひな鳥の体重の平均値が標準的なひな鳥の値を１００とした場合に約９３であるのに対し、シート１０を用いて飼育する方のひな鳥の体重の平均値が標準的なひな鳥の値を１００とした場合に約９８であった。
前記したとおり１週間（７日間）にわたって飼育すると、本餌付けシート１を用いた方のひな鳥の体重の平均値が標準的なひな鳥の値を１００とした場合に約１２６であるのに対して、前記シート１０を用いた方のひな鳥の体重の平均値が標準的なひな鳥の値を１００とした場合に約１１２であった。このデータからも、シートの他はほぼ同じ条件で飼育しても、前述のように、本餌付けシート１を用いて飼育した方が、１２．５パーセント程度成長の割合が高いことが判った。かかる「実施データ３」に示す効果をひな鳥の体重の増加で表すと、図６（ｂ）に図示するように、入雛時に本餌付けシート１を用いて飼育する方のひな鳥の体重の平均値が３９ｇであるのに対し、シート１０を用いて飼育する方のひな鳥の体重の平均値が４１ｇであった。
その後１週間（７日間）にわたって飼育すると、本餌付けシート１を用いた方のひな鳥の体重の平均値が２０５ｇであるのに対して、前記シート１０を用いた方のひな鳥の体重の平均値は１８５ｇであった。
【００２９】
この「実施データ３」では図示しないが、１週間以降も、入雛後６週間（６Ｗ）までの期間の育成の状態を、「体重」をパラメータにして対比観察したが、常に、当初５日間にわたって本餌付けシート１を用いた方のひな鳥の生育が、従来のシート１０を用いた方のひな鳥の生育に比べて、良いことが判った。且つ、基準値（１００）に対しても、より生育程度が高いことが判った。このことは、前述した入雛から７日間位までの間にひな鳥が多くの餌を食べることがその後の成長にとって、またひな鳥の死亡率を低下させることにとって、重要であることが裏付けられた。
【００３０】
なお、従来のシート１０を用いた鶏舎へは、本餌付けシート１を用いた鶏舎より２日早くひな鳥が入雛しているが、正確なデータを得るために、観察は、それぞれ入雛したときを基準（「０Ｗ」）にしておこなっている。
【００３１】
ところで、図６（ａ）において、縦軸の数値はパーセンテージで、各時期におけるひな鳥の標準的な体重を１００％として、該各時期におけるひな鳥の体重（平均体重）をパーセンテージで表している。
【００３２】
ところで、前記実施例では、餌付けシート１として、マンセルカラーシステムの明度３程度のものを使用したが、これより明度の低い（黒により近い）ものであれば、前記と同様又はそれ以上の作用効果を得ることができるものと思われる。
【００３３】
また、前記餌２の明度が前記した明度６程度よりも高い場合には、餌付けシート１の明度も「より高い」ものを用いることができ、逆に、前記餌２の明度が前記したものよりさらに低い場合には、餌付けシート１の明度も「より低い」ものを用いることが望ましい。
【００３４】
また、前記餌付けシート１が所定期間程度使用されると前述のとおり破壊されるため、従来の紙製のシート１０のように、使用後のものを取り除いて、廃棄処分するような手間も省ける。つまり、本実施例にかかる餌付けシート１の場合には、破壊されておが粉６と混ざることから、使用後に特段に廃棄処分する必要はない。従って、養鶏家にとって、処分の手間が省けたり処分費用が不要となり、また、使用後の餌付けシート１を廃棄処理する前に一時的に保管するようなスペースも不要となる。
特に、本実施例のように、炭等のように、ひな鳥５にとって無害な物質でシートの色づけがおこなわれていると、また、前記紙の繊維組織同士をつなぐ結着剤（糊）として食用の糊を用いると、該餌付けシート１をひな鳥が食するようなことがあっても、無害である点で好ましい。
【００３５】
ところで、前記実施データでは入雛後３日〜５日間程度本餌付けシートを用いて飼育しているが、入雛から３日間程度本餌付けシートを用いた場合であっても、従来のシートを用いた場合あるいはシートを用いない場合に比べて本発明特有の効果が得られた。
【００３６】
また、入雛後５日以降も、本餌付けシートを用いて飼育すると、従来のシートを用いた場合あるいはシートを用いない場合に比べて、よりひな鳥の体重の増加が見込まれるものと推測される。
【００３７】
また、本発明にかかる餌付けシートとひな鳥の餌付け方法によれば、図４〜図６に図示するように、従来のシートを用いた場合に比べて、出荷に必要な体重にひな鳥が成長するまでの期間を短くすることができるため、出荷を早めることができる。このため、出荷の前倒しにより、採算性が向上する。
【００３８】
ところで、前述した実施例は本発明の単なる１実施例であって、本発明は、前記実施例に限定されるものでなく、本発明の技術的思想に基づく範囲において種々の形態で実施することが可能であることは言うまでもない。
【産業上の利用可能性】
【００３９】
本発明にかかる餌付けシートとひな鳥の餌付け方法は、養鶏分野等において利用することができる。
【符号の説明】
【００４０】
１…餌付けシート
２…餌
３…床
５…ひな鳥
１０…従来の紙製のシート
【図１】
2012132392.tif 000003
【図２】
2012132392.tif 000004
【図３】
2012132392.tif 000005
【図４】
2012132392.tif 000006
【図５】
2012132392.tif 000007
【図６】
2012132392.tif 000008
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
飼育エリアの床上に敷いた餌付けシート上に餌をばら撒いてひな鳥を餌付けする餌付け方法において、
前記床上に敷かれた、おが粉、あるいは切断した藁、又は籾殻等の素材の上に、紙製の前記餌付けシートを敷いて餌付けすることを特徴とするひな鳥の餌付け方法。
【請求項２】
前記紙製の餌付けシートとして、前記餌の明度に比べ、マンセルカラーシステムにおいて「２」以上異なる明度の餌付けシートを用いるとともに、
前記素材が、おが粉、切断した藁、籾殻のうちから選択された少なくとも一種であることを特徴とする請求項１記載のひな鳥の餌付け方法。
【請求項３】
飼育エリアの床上に、おが粉、切断した藁、籾殻から選択された少なくとも一種の素材を敷くステップと、
前記素材の上に、紙製の餌付けシートを敷くステップと、
前記餌付けシート上に餌をばら撒くステップとを備え、
前記餌付けシートは、前記餌の明度に比べ、マンセルカラーシステムにおいて「２」以上異なる明度のシートであり、且つ、繊維組織の粗い紙で構成されたものであり、
前記素材の上に敷かれた前記餌付けシートは、ひな鳥の餌付けにおいて前記餌付けシートの上を前記ひな鳥が踏むことによって、４日〜１週間でばらばらになるものであることを特徴とするひな鳥の餌付け方法。
【請求項４】
飼育エリアの床上に、餌付けシートが敷かれ、その餌付けシートの上に餌をばら撒いてひな鳥を餌付けする餌付け方法に使用する餌付けシートであり、
前記餌付けシートが、前記ひな鳥の餌付けにおいて当該餌付けシートの上を当該ひな鳥が踏むことによって４日〜１週間程度でばらばらになるように、繊維組織の粗い紙で構成されていることを特徴とするひな鳥の餌付けシート。
【請求項５】
前記ひな鳥の餌付けシートが、前記飼育エリアの床上に敷かれた、おが粉、あるいは切断した藁、又は籾殻等の素材の上に敷かされるものであり、
前記餌付けシートの明度は、前記餌の明度に比べ、マンセルカラーシステムにおいて「２」以上異なる明度であることを特徴とする請求項４記載のひな鳥の餌付けシート。
【請求項６】
前記ひな鳥の餌付けシートの色が、黒色又はダークグレーであり、当該黒色又はダークグレーにするための着色剤として炭が用いられているものであることを特徴とする請求項４又は５記載の餌付けシート。
【国際調査報告】
2012132392.tif 000009
2012132392.tif 000010
2012132392.tif 000011
2012132392.tif 000012